(57)【要約】【課題】着信に用いる通信メディアを発信側の利用者が選択した通信メディアとは独立に選択可能とする通信メディア自動変換システムを提供する。【解決手段】サービス領域内の利用者それぞれに対応して、位置情報と端末機能情報とともに、位置情報ごとに希望する着信メディアを示す着信セッションポリシーを含むプレゼンス情報を管理するプレゼンス管理手段と、接続要求に応じて、指定された着信先の利用者に対応するプレゼンス情報を参照し、着信先の利用者の位置情報と着信セッションポリシーとから着信側で選択する通信メディアを決定する着信メディア決定手段と、接続要求で示される発信側の通信メディアと着信メディア決定手段で決定された通信メディアとが一致しない場合に、双方の通信メディア間のメディア変換を行うメディア変換手段とを備える。【選択図】      図１
2008085838.tif 000002
【特許請求の範囲】
【請求項１】
サービス領域内の利用者それぞれに対応して、位置情報と端末機能情報とともに、位置情報ごとに希望する着信メディアを示す着信セッションポリシーを含むプレゼンス情報を管理するプレゼンス管理手段と、
接続要求に応じて、指定された着信先の利用者に対応する前記プレゼンス情報を参照し、前記着信先の利用者の位置情報と着信セッションポリシーとから着信側で選択する通信メディアを決定する着信メディア決定手段と、
前記接続要求で示される発信側の通信メディアと前記着信メディア決定手段で決定された通信メディアとが一致しない場合に、双方の通信メディア間のメディア変換を行うメディア変換手段と
を備えたことを特徴とする通信メディア自動変換システム。
【請求項２】
請求項１に記載の通信メディア自動変換システムにおいて、
前記メディア変換手段は、
通信メディアとして音声を選択した端末装置との間に設定されたＲＴＰセッションを介して入力される音声データについて音声認識処理を行い、前記音声データによって表される言語情報を示すテキスト情報を生成する音声認識手段と、
前記音声認識手段によって得られたテキスト情報を含むＳＩＰメッセージを生成するメッセージ生成手段と、
通信メディアとしてテキスト情報を選択した端末装置との間でＳＩＰメッセージの授受を行うＳＩＰ通信手段と、
前記通信メディアとしてテキスト情報を選択した端末装置から受け取ったＳＩＰメッセージからテキスト情報を抽出するテキスト抽出手段と、
前記テキスト抽出手段によって抽出されたテキスト情報について音声合成処理を行い、前記テキスト情報で示される言語情報を表す音声データを生成して、前記ＲＴＰセッションを介して前記通信メディアとして音声を選択した端末装置に送出する音声合成手段とを備えた
ことを特徴とする通信メディア自動変換システム。
【請求項３】
請求項２に記載の通信メディア自動変換システムにおいて、
前記メディア変換手段は、
テキスト情報がボディ部に付加されたＳＩＰメッセージの受信に応じて、前記ＳＩＰメッセージで示された着信側の端末装置に対応するＲＴＰセッションが設定されているか否かを判定する判定手段と、
前記着信側の端末装置に対応するＲＴＰセッションが設定されていないと判定されたときに、前記着信側の端末装置にＳＩＰプロトコルに従う接続要求を送出する要求代行手段を備えた
ことを特徴とする通信メディア自動変換システム。
【発明の詳細な説明】
【技術分野】
【０００１】
本発明は、ＳＩＰプロトコルによるセッションの確立の際に、あるいは確立されたセッションによって交換されるセッション情報に含まれるメディア情報に基づく通信メディア自動変換システムに関する。
【背景技術】
【０００２】
ＳＩＰプロトコルに従ってセッション確立する際のネゴセッションにおいては、発信側の端末装置から希望する通信メディアを示すメディア情報がＳＤＰ(Session Describe Protocol)情報の一部として送信され、指定された通信メディア(例えば、音声通話)が、着信側の端末装置において提供可能であるか否かがまず判定される。
その後、指定された通信メディアでの通信が要求されている旨が着信側の利用者に通知され、着信側の利用者が上述した通信メディアでの着信を諒承した上で応答すると、指定された通信メディアのデータ授受のためのセッションが確立され、このセッションを介して、例えば、音声通話のためのＲＴＰパケットの授受が開始される。
【０００３】
近年では、個々の通信端末の高機能化が進んでおり、例えば、第３世代移動通信システムに接続する機能と、ＳＩＰプロトコルに従って無線ＬＡＮシステムに接続する機能との双方を備えた通信端末も実現されている。
このような移動通信端末が、例えば、移動通信ネットワークと無線ＬＡＮの双方が利用可能な領域に進入した場合などに、移動通信ネットワークから無線ＬＡＮへあるいはその逆へと接続の移行を制御する技術として、移動通信端末の位置情報を利用したハンドオーバ制御技術が提案されている(特許文献１参照)。
【０００４】
このようなハンドオーバ制御技術では、複数のメディアを利用して接続中の利用者が優先しようとする通信メディアの種類や、ハンドオーバ可能なネットワークで提供可能な通信メディアの種類などに基づいて、ハンドオーバを行うか否かを決定したり、ハンドオーバした後の通信で選択するメディアを決定したりといった制御が行われている。
【特許文献１】特開２００５−２２９５８３号公報
【発明の開示】
【発明が解決しようとする課題】
【０００５】
上述した特許文献１の技術も含めて、従来のネットワーク技術では、発信側と着信側とが同一の通信メディアで通信を行うことを前提としてセッションの確立が行われている。
ＳＩＰプロトコルが適用された無線ＬＡＮシステムでは、多種多様な通信メディアでの通信が可能であり、また、様々な機能を持つ端末装置が混在して接続されているにもかかわらず、発信側の利用者が送信するＩＮＶＩＴＥメッセージに付加されたＳＤＰ情報で指定された通信メディアについてのみ、着信側の端末装置で提供可能であるか否かが判定され、提供可能である場合に限って着信側の利用者に接続要求が通知されている。
【０００６】
このような従来のセッション確立手順では、通信メディアの選択は一方的に発信者側に任されており、着信側の利用者は、所望の通信メディアが指定されていない場合には、接続要求に応答しないことでしか通信メディアを選択できなかった。
このため、発信側の利用者が希望する通信メディアと着信側の利用者が希望する通信メディアが一致しない場合には、接続要求が拒否されてしまい、通信を開始することができなくなってしまっていた。
【０００７】
また、例えば、発信側の利用者が着信側の利用者の都合を想像して通信メディアを選択することも可能ではあるが、発信側の利用者の想像に基づいて選択された通信メディアが、着信側の利用者が希望する通信メディアと一致するとは限らないことに変わりはない。
その一方、オフィスビル内などでは、従業員それぞれの居場所(プレゼンス)を、個々の従業員が所持しているＲＦＩＤなどによって管理する技術が適用可能であり、このプレゼンス管理技術で得られた位置情報に基づいて、着信側の利用者が会議中であるか居室に在席中であるかを判定し、この結果に基づいて希望する通信メディアを推定すれば、推定精度を向上することは可能である。
【０００８】
しかしながら、同一の場所でも利用者ごとに、あるいは、利用者がおかれた状況に応じて、着信を希望する通信メディアが異なることが考えられる上、着信側が希望する通信メディアを発信側の利用者の端末で提供可能であるかについては全く保証がない。
このように、発信側の利用者が一方的に通信メディアを選択して、発信側と着信側で同一の通信メディアを採用する手法には限界があり、通信メディアの不一致のために通信が成立しない場合が少なからず発生する。今後、個々の端末装置で提供可能な通信メディアに関する選択肢が増えるに従って、このような通信メディアの不一致のために通信成立しないケースが増大すると考えられる。
【０００９】
本発明は、着信側の利用者のポリシーを反映して、着信に用いる通信メディアを発信側の利用者が選択した通信メディアとは独立に選択可能とする通信メディア自動変換システムを提供することを目的とする。
【課題を解決するための手段】
【００１０】
本発明にかかわる第１の通信メディア自動変換システムは、プレゼンス管理手段と、着信メディア決定手段と、メディア変換手段とから構成される。
本発明にかかわる第１の通信メディア自動変換システムの原理は、以下の通りである。
プレゼンス管理手段は、サービス領域内の利用者それぞれに対応して、位置情報と端末機能情報とともに、位置情報ごとに希望する着信メディアを示す着信セッションポリシーを含むプレゼンス情報を管理する。着信メディア決定手段は、接続要求に応じて、指定された着信先の利用者に対応する前記プレゼンス情報を参照し、前記着信先の利用者の位置情報と着信セッションポリシーとから着信側で選択する通信メディアを決定する。メディア変換手段は、接続要求で示される発信側の通信メディアと前記着信メディア決定手段で決定された通信メディアとが一致しない場合に、双方の通信メディア間のメディア変換を行う。
【００１１】
このように構成された第１の通信メディア自動変換システムの動作は、下記の通りである。
例えば、ＳＩＰプロトコルのＩＮＶＩＴＥメッセージが通信メディア変換システムに到来したときに、着信メディア決定手段により、このＩＮＶＩＴＥメッセージで示された着信先の利用者に対応してプレゼンス管理手段に登録されているプレゼンス情報が参照される。このとき、着信メディア決定手段は、上述したＩＮＶＩＴＥメッセージに含まれるＳＤＰ情報で指定される通信メディアとは独立に、着信先の利用者の位置情報と着信セッションポリシーとに基づいて、着信側の利用者が通信に利用する通信メディアを決定する。
【００１２】
このようにして決定された着信側の通信メディアとＩＮＶＩＴＥメッセージで指定された発信側の通信メディアとが一致しない場合には、メディア変換手段により、双方の通信メディア間のメディア変換が行われる。
これにより、例えば、発信側で選択された通信メディアが音声通信であり、着信側ではテキスト情報が通信メディアとして選択された場合のように、発信側で選択された通信メディアと着信側が希望する通信メディアとが一致しない場合でも、双方の端末間での通信を実現することができる。上述した例では、発信側の端末装置との間に設定されたＲＴＰセッションを介してメディア変換手段に到達した音声データは、テキスト情報に変換されて着信側の端末装置に送出され、一方、着信側の端末装置から送出されるテキスト情報は、メディア変換手段において音声データに変換され、上述したＲＴＰセッションを介して発信側の端末装置に送出される。
【００１３】
本発明にかかわる第２の通信メディア自動変換システムは、上述した第２の通信メディア自動変換システムに備えられるメディア変換手段に、音声認識手段と、メッセージ生成手段と、ＳＩＰ通信手段と、テキスト抽出手段と、音声合成手段とを備えて構成される。
本発明にかかわる第２の通信メディア自動変換システムの原理は、以下の通りである。
上述した第１の通信メディア自動変換システムに備えられるメディア変換手段において、音声認識手段は、通信メディアとして音声を選択した端末装置との間に設定されたＲＴＰセッションを介して入力される音声データについて音声認識処理を行い、前記音声データによって表される言語情報を示すテキスト情報を生成する。メッセージ生成手段は、音声認識手段によって得られたテキスト情報を含むＳＩＰメッセージを生成する。ＳＩＰ通信手段は、通信メディアとしてテキスト情報を選択した端末装置との間でＳＩＰメッセージの授受を行う。テキスト抽出手段は、通信メディアとしてテキスト情報を選択した端末装置から受け取ったＳＩＰメッセージからテキスト情報を抽出する。音声合成手段は、テキスト抽出手段によって抽出されたテキスト情報について音声合成処理を行い、前記テキスト情報で示される言語情報を表す音声データを生成して、前記ＲＴＰセッションを介して前記通信メディアとして音声を選択した端末装置に送出する。
【００１４】
このように構成された第２の通信メディア自動変換システムの動作は、下記の通りである。
音声通信を選択した端末装置ＡからＲＴＰセッションを介して受け取った音声データは、音声認識手段によってテキスト情報に変換され、更に、このテキスト情報を含むＳＩＰメッセージに変換されて、ＳＩＰ通信手段を介して、テキスト情報による通信を選択した対向する端末装置Ｂに送信される。一方、この端末装置ＢからのＳＩＰメッセージに含まれるテキスト情報は、テキスト抽出手段によって抽出され、音声合成手段によって音声データを含むＲＴＰパケットに変換されて、上述した端末装置Ａとの間に設定されたＲＴＰセッションを介して送出される。
【００１５】
このようにして、音声からテキストへのメディア変換とともにテキストから音声へのメディア変換が、ＳＩＰプロトコルの中で実現される。
本発明にかかわる第３の通信メディア自動変換システムは、上述した第２の通信メディア自動変換システムに備えられるメディア変換手段に、更に、判定手段と要求代行手段とを備えて構成される。
【００１６】
本発明にかかわる第３の通信メディア自動変換システムの原理は、以下の通りである。
上述した第２の通信メディア自動変換システムに備えられるメディア変換手段において、判定手段は、テキスト情報がボディ部に付加されたＳＩＰメッセージの受信に応じて、前記ＳＩＰメッセージで示された着信側の端末装置に対応するＲＴＰセッションが設定されているか否かを判定する。要求代行手段は、着信側の端末装置に対応するＲＴＰセッションが設定されていないと判定されたときに、前記着信側の端末装置にＳＩＰプロトコルに従う接続要求を送出する。
【００１７】
このように構成された第３の通信メディア自動変換システムの動作は、下記の通りである。
発信側の利用者によってテキスト情報での通信が選択されている場合に、テキスト情報を含むＳＩＰメッセージが対向する端末装置宛てに新たに送出されたときに、判定手段により、上述した宛先の端末装置に対応するＲＴＰセッションが設定されていないと判定され、これに応じて、要求代行手段により、ＩＮＶＩＴＥメッセージが生成され、上述したＳＩＰメッセージの着信先の端末装置に送出され、これに応じて、ＲＴＰセッションの設定が行われる。
【００１８】
その後は、発信側の端末装置からのＳＩＰメッセージに付加されたテキスト情報は、メディア変換手段によって音声データに変換されて、上述したようにして設定されたＲＴＰセッションを介して着信側の端末装置に送出され、一方、着信側の端末装置からの音声データは、メディア変換手段によってテキスト情報に変換されて、発信側の端末装置に渡される。
【発明の効果】
【００１９】
上述した第１の通信メディア変換システムによれば、発信側の端末装置と着信側の端末装置とが、それぞれ独立に選択した通信メディアを利用しつつ、相互の通信を成立させることができる。
特に、第２および第３の通信メディア変換システムによれば、音声通信とテキスト情報による通信のように全く性質の異なる通信メディア間の変換を実現するための具体的なシステムを提供することができる。
【００２０】
このようにして、異なる通信メディア間での変換を実現し、発信側の利用者の希望と着信側の利用者の希望との双方を満足させ、互いの通信を成立させることにより、通信メディアの不一致による通信の不成立を防ぐことが可能となる。
【発明を実施するための最良の形態】
【００２１】
以下、図面に基づいて、本発明の実施形態について詳細に説明する。
図１に、本発明にかかわる通信メディア自動変換システムの実施形態を示す。
図１に示したプレゼンス管理サーバ２２０において、所在情報登録処理部２２１は、ネットワークを介して各端末装置についての位置情報を収集してプレゼンス管理テーブル２２２の位置情報を更新するとともに、これらの端末装置からの要求に応じて、着信ポリシーの登録処理を行う。
【００２２】
図１に示したプレゼンス管理テーブル２２２は、例えば、図２に示すように、各利用者に与えられた利用者ＩＤに対応して位置情報を保持するとともに、現在使用中の端末装置に関する情報として端末ＩＤや電話番号あるいはＩＰアドレスおよび提供可能メディアを保持している。また、このプレゼンス管理テーブル２２２には、各利用者に対応する着信ポリシーとして、所在場所の種別(図２においては所在種別として示した)に対応して着信の際に選択する希望メディアを示す情報が登録されている。
【００２３】
また、図１に示したＳＩＰサーバ２１０において、問い合わせ処理部２１２は、ＳＩＰ処理部２１１からの指示に応じて、プレゼンスサーバ２２０の登録情報検索部２２３に対して着信先の利用者に関する問い合わせを行い、得られた情報をメディア変換制御部２１３に渡す。
このメディア変換制御部２１３は、ＳＩＰ処理部２１１が接続要求から抽出した情報と上述した問い合わせで得られた情報とに基づいて、メディア変換の必要性を判定し、メディア変換が必要である旨の判定結果を得たときに、後述するようにして、ＳＩＰ処理部２１１を介してセッションメディア変換サーバ２３０にメディア変換処理を依頼する。
【００２４】
図１に示したセッションメディア変換サーバ２３０において、ＲＴＰ制御部２３２は、ＳＩＰ処理部２３１からの指示に応じて、ネットワークを介して設定されたＲＴＰセッションを介してＲＴＰパケットの授受を行う。このとき、ＲＴＰ制御部２３２は、ＲＴＰセッションを介して受け取った音声データを音声認識処理部２３３によるテキスト情報への変換処理に供し、一方、音声合成処理部２３４から受け取った音声データをＲＴＰパケットとして上述したＲＴＰセッションを介して送出する。また、図１に示したメッセージ変換部２３５は、音声認識処理部２３３で得られたテキスト情報をＳＩＰメッセージのボディ部に設定してＳＩＰ処理部２３１に渡す機能と、ＳＩＰ処理部２３１から受け取ったＳＩＰメッセージに含まれるテキスト情報を抽出して音声合成処理部２３４による音声データへの変換処理に供する機能を備えている。
【００２５】
以下、図１に示した通信メディア自動変換システムの動作を、端末装置ＵＥ２からの接続要求に応じて、会議室内の利用者が使用している端末装置ＵＥ１に接続する場合を例にとって説明する。
例えば、図３に示すように、端末装置ＵＥ２からの音声通話に関するＩＮＶＩＴＥがＳＩＰサーバ２１０によって検出されると(図４のステップ３０１)、まず、ＳＩＰ処理部２１１により、ＩＮＶＩＴＥのＳＤＰで示された発信側メディア情報(音声)とともに、宛先を示す情報が抽出される(図４のステップ３０２、３０３)。
【００２６】
このようにして抽出された宛先端末情報に基づいて、図１に示した問い合わせ処理部２１２により、プレゼンス管理サーバ２２０に対して着信側の利用者の着信ポリシーに関する問い合わせが行われ、これに応じて、登録情報検索部２２３により、指定された着信側の利用者が利用中の端末装置に関する情報とともに、この利用者の位置情報に対応して登録された着信希望メディア(テキスト)を示す情報の参照が行われ(図４のステップ３０４)、これらの情報が、図１に示したメディア変換制御部２１３に通知される。
【００２７】
このとき、メディア変換制御部２１３は、ＳＩＰ処理部２１１によって抽出された発信側メディア情報と問い合わせ処理部２１２を介してプレゼンス管理サーバ２２０から通知された着信側メディア情報とを比較し、これらが一致した場合には(ステップ３０５の肯定判定)、従来と同様の通常のセッション設定処理を行い(ステップ３０６)、接続要求に応じたセッション設定動作を終了する。
【００２８】
一方、図３に示した場合のように、発信側が希望するメディア(音声)と着信側が希望するメディア(テキスト)とが一致しない場合に(ステップ３０５の否定判定)、メディア変換制御部２１３は、ＳＩＰ処理部２１１を介して、セッションメディア変換サーバ２３０を介してセッション設定を行う。
このとき、メディア変換制御部２１３からの指示に応じて、ＳＩＰ処理部２１１により、上述した端末装置ＵＥ２からのＩＮＶＩＴＥがセッションメディア変換サーバ２３０に転送される。これに応じて、ＳＩＰ処理部２３１により、ＲＴＰ制御部２３２に対して発信側の端末装置ＵＥ２に接続されるＲＴＰセッションの設定が指示され、これに応じてＲＴＰ制御部２３２において設定されたＲＴＰセッションに関する情報が、セッションメディア変換サーバ２３０のＳＩＰ処理部２３１およびＳＩＰサーバ２１０のＳＩＰ処理部２１１を介して要求元の端末装置ＵＥ２に通知される。
【００２９】
このようにして、図１に灰色の太線で示すように、発信側の端末装置ＵＥ２とセッションメディア変換サーバ２３０のＲＴＰ制御部２３２とを結ぶＲＴＰセッションが確立される(図３参照)。また、このとき、ＳＩＰ処理部２３１により、このＲＴＰセッションと上述した発信側端末装置ＵＥ２および着信側端末装置ＵＥ１を示す情報とが対応付けて管理される。
【００３０】
このＲＴＰセッションを介して発信側の端末装置ＵＥ２からＲＴＰ制御部２３２にＲＴＰパケットが到着すると(図５のステップ３１１参照)、このＲＴＰパケットに含まれる音声データが、図１に示した音声認識処理部２３３による音声認識処理に供され(図５のステップ３１２)、テキスト情報に変換される(図３参照)。
このようにして得られたテキスト情報を受け取って、図１に示したメッセージ変換部２３５は、このテキスト情報をボディ部に付加してＳＩＰメッセージを形成し(図５のステップ３１３)、ＳＩＰ処理部２３１を介して送信する(ステップ３１４)。
【００３１】
上述したように、ＳＩＰ処理部２３１では、ＲＴＰセッションと着信側端末装置ＵＥ１とが対応付けて管理されているので、上述したようにして形成されたテキスト情報を含むＳＩＰメッセージは、ＳＩＰサーバ２１０を介して上述した端末装置ＵＥ１に送出される(図３参照)。
このようにして、通信メディアとして音声通話を希望している端末装置ＵＥ２からの音声データをテキスト情報に変換し、このテキスト情報を含むＳＩＰメッセージとして、通信メディアとしてテキスト情報を希望している端末装置ＵＥ１に渡すことができる。
【００３２】
一方、図３に示すように、端末装置ＵＥ１の利用者により、上述したＳＩＰメッセージへの応答としてテキスト情報が入力されたときに、このテキスト情報を含むＳＩＰメッセージがＳＩＰサーバ２１０を介してセッションメディア変換サーバ２３０に転送され(図５のステップ３２１)、ＳＩＰ処理部２３１からメッセージ変換部２３５に渡される。
このＳＩＰメッセージに含まれているテキスト情報は、メッセージ変換部２３５によって抽出された後に(図５のステップ３２２)、音声合成処理部２３４に渡され、この音声合成処理部２３４によって音声データに変換される(図５のステップ３２３)。そして、ＲＴＰ制御部２３２により、この音声データを含むＲＴＰパケットが形成され、上述したＲＴＰセッションを介して端末装置ＵＥ２に送信される(図３および図５のステップ３２４参照)。
【００３３】
このようにして、端末装置ＵＥ１からのテキスト情報を音声データに変換し、ＲＴＰセッションを介して端末装置ＵＥ２に渡すことができる。
上述した通信メディア自動変換システムでは、音声通話などの通信メディアで必要とされるＲＴＰセッションによるＲＴＰパケットの授受をセッションメディア変換サーバ２３０において終端し、このセッションメディア変換サーバ２３０に、ＲＴＰセッションを用いる通信メディアとテキスト情報などの通信メディアとの間の変換手段を備えることにより、発信側と着信側とで独立に通信メディアを選択して通信を成立させることができる。
【００３４】
また、上述したように、音声データから得られたテキスト情報をＳＩＰメッセージのボディ部に設定して宛先の端末装置に送信する構成では、ＳＩＰプロトコルに従うメッセージの授受によってテキスト情報が授受されるので、チャット機能などを利用した簡易な構成を利用して実現することができる。
次に、テキスト情報による通信を希望している端末装置ＵＥ１からの接続要求に応じて、音声通話を希望している端末装置ＵＥ２との間の通信を実現する動作について説明する。
【００３５】
図６に、通信メディア自動変換システムの動作を表すシーケンス図を示す。また、図７に、ＳＩＰメッセージの転送動作を表す流れ図を示す。
なお、図６に示すシーケンスのうち、図３に示した各シーケンスと同等のものについては、図３に示した符号を付して示し、その説明を省略する。
例えば、図６に示すように、端末装置ＵＥ１から端末装置ＵＥ２を宛先として指定したＳＩＰメッセージが送出されると、ＳＩＰサーバ２１０により、このＳＩＰメッセージに含まれるＳＤＰ情報に基づいて、着信先の端末装置ＵＥ２についての問い合わせがプレゼンス管理サーバ２２０に対して行われる。
【００３６】
例えば、端末装置ＵＥ２の利用者が出先にいる旨がプレゼンス管理テーブル２２２に登録された位置情報で示されている場合に、上述した問い合わせに対して、登録情報検索部２２３により、端末装置ＵＥ２に対応する希望メディアが音声である旨が通知される。
これにおうじて、ＳＩＰサーバ２１０のメディア変換制御部２１３により、メディア変換処理が必要であると判断され、端末装置ＵＥ１からのＳＩＰメッセージは、セッションメディア変換サーバ２３０に転送される。
【００３７】
このとき、セッションメディア変換サーバ２３０のＳＩＰ処理部２３１は、図７に示すように、まず、受け取ったＳＩＰメッセージからＳＤＰ情報を抽出し(ステップ３３１)、次いで、図１に示したＲＴＰ制御部２３２によって既に設定されているＲＴＰセッションから、ＳＤＰ情報で示された着信側端末装置(例えば、端末装置ＵＥ２)に対応するＲＴＰセッションを検索し、この検索結果に基づいて、該当するＲＴＰセッションがあるか否かを判定する(ステップ３３３)。
【００３８】
図６に示した最初のＳＩＰメッセージに応じて上述したＲＴＰセッションの検索を行った場合には、まだ、該当するＲＴＰセッションは設定されていないので、上述したステップ３３３の否定判定となり、このとき、ＳＩＰ処理部２３１は、ＲＴＰ制御部２３２から収集したＳＤＰ情報を含むＩＮＶＩＴＥを作成し、ＳＩＰサーバ２１０を介して端末装置ＵＥ２に送出する(図７ステップ３３４および図６参照)。
【００３９】
その後、ＳＩＰ処理部２３１は、上述したＩＮＶＩＴＥに対して着信側の端末装置ＵＥ２から返される応答の受信を待ち(ステップ３３５)、応答を受信したときに(ステップ３３５の肯定判定)、応答に含まれるＳＤＰ情報をＲＴＰ制御部２３２に通知して、端末装置ＵＥ２との間のセッションを確立させるとともに、このＲＴＰセッションを着信側の端末装置ＵＥ２に対応付けて登録する(ステップ３３６)。
【００４０】
このようにして、新たなＲＴＰセッションが設定された後に、ＳＩＰ処理部２３１は、ＳＩＰサーバ２１０から受け取ったＳＩＰメッセージをメッセージ変換部２３５に渡し(ステップ３３７)、図５(ｂ)に示したテキスト情報から音声データへの変換処理に供する。
一方、上述したようにしてＲＴＰセッションが設定された後に、新たなＳＩＰメッセージを受信した場合は、抽出されたＳＤＰ情報で示される着信側端末装置に対応して既存のＲＴＰセッションが検索されるので、ステップ３３３の肯定判定となり、新たなＳＩＰメッセージはそのままメッセージ変換部２３５の処理に供される。
【００４１】
なお、図１に示した音声認識処理部２３３および音声合成処理部２３４に加えて、例えば、テキスト情報を手話映像の集合に変換するための構成を備えてセッションメディア変換サーバ２３０を構成することにより、音声通話を希望する利用者と手話通話希望する利用者との間でも通信を、通信システムのサービスの一つとして成立させることが可能となる。同様にして、別の種類の通信メディアをさらに別の種類の通信メディアに変換する構成を備えてセッションメディア変換サーバ２３０を構成することにより、様々な利用者からの多種多様な要望に応える通信メディア自動変換システムを構築することが可能である。
【産業上の利用可能性】
【００４２】
以上に説明したように、本発明にかかわる通信メディア自動変換システムによれば、発信側の端末装置が指定した通信メディアにかかわらず、着信側の端末装置が利用を希望するメディアで通信を成立させることができるので、通信メディアの不一致による通信そのものの不成立を確実に防ぐことができる。
これにより、ＳＩＰプロトコルを適用して次世代ネットワークシステムの利用者は、対向先の端末装置が提供可能な通信メディアの種類や対向する利用者の所在などにとらわれることなく、自由なコミュニケーションを享受することができるので、利用者に対するサービス性を大幅に向上することができる。
【図面の簡単な説明】
【００４３】
【図１】本発明にかかわる通信メディア自動変換システムの実施形態を示す図である。
【図２】プレゼンス管理テーブルの例を示す図である。
【図３】通信メディア自動変換システムの動作を表すシーケンス図である。
【図４】セッション設定動作を表す流れ図である。
【図５】メディア変換動作を表す流れ図である。
【図６】通信メディア自動変換システムの動作を表すシーケンス図である。
【図７】ＳＩＰメッセージの転送動作を表す流れ図である。
【符号の説明】
【００４４】
２１０  ＳＩＰサーバ
２１１、２３１  ＳＩＰ処理部
２１２  問い合わせ処理部
２１３  メディア変換制御部
２２０  プレゼンス管理サーバ
２２１  所在情報登録処理部
２２２  プレゼンス管理テーブル
２２３  登録情報検索部
２３０  セッションメディア変換サーバ
２３２  ＲＴＰ制御部
２３３  音声認識処理部
２３４  音声合成処理部
２３５  メッセージ変換部
【図１】
2008085838.tif 000003
【図２】
2008085838.tif 000004
【図３】
2008085838.tif 000005
【図４】
2008085838.tif 000006
【図５】
2008085838.tif 000007
【図６】
2008085838.tif 000008
【図７】
2008085838.tif 000009